(57)【要約】      （修正有）【課題】魚を水とともに吸い込み移送するフィッシュホースの開口部から魚槽までの距離が長い場合であっても、十分な移送力を備えるフィッシュポンプ、及びフィッシュポンプシステムを提供する。【解決手段】捕獲した魚を水とともに移送するためのフィッシュポンプ２であって、フィッシュポンプ２は、魚と水を吸い入れるフィッシュポンプ開口部と、フィッシュホース５に接続されるフィッシュホース側開口部を備えており、水中に配置して使用される。フィッシュポンプ２を水中に配置することにより、移送経路のうち魚を取り込むフィッシュホース側開口部からポンプ２までの吸引側の長さを短くし、移送経路のほとんどの部分を圧送とすることにより十分な移送力を維持することができる。【選択図】図１
0003199040.tif 000002
【実用新案登録請求の範囲】
【請求項１】
捕獲した魚を水とともに移送するためのフィッシュポンプであって、
該フィッシュポンプは、
魚と水を吸い入れるフィッシュポンプ開口部、
フィッシュホースに接続されるフィッシュホース側開口部を備えており、
水中に配置して使用されることを特徴とするフィッシュポンプ。
【請求項２】
前記フィッシュポンプは、クレーン又はフロートによって水中に配置されることを特徴とする請求項１記載のフィッシュポンプ。
【請求項３】
前記フィッシュポンプは、油圧で駆動することを特徴とする請求項１又は２記載のフィッシュポンプ。
【請求項４】
前記フィッシュポンプはブレードレスポンプ又は二枚羽根型ポンプであることを特徴とする請求項１〜３いずれか１項記載のフィッシュポンプ。
【請求項５】
捕獲した魚を水とともに移送するためのフィッシュポンプシステムであって、
請求項１〜４いずれか１項記載のフィッシュポンプを備えたことを特徴とするフィッシュポンプシステム。
【請求項６】
捕獲した魚を移送するフィッシュホースを備えることを特徴とする請求項５記載のフィッシュポンプシステム。
【請求項７】
魚と水とを選別するセパレーターを備えることを特徴とする請求項５又は６記載のフィッシュポンプシステム。
【請求項８】
フィッシュホースリール及び油圧ホースリールを備えることを特徴とする請求項５〜７いずれか１項記載のフィッシュポンプシステム。
【請求項９】
前記油圧ホースリールには、油圧を伝達する油圧ホース接合部が設けられていることを特徴とする請求項８記載のフィッシュポンプシステム。
【請求項１０】
油圧によってフィッシュポンプ、フィッシュポンプリール、油圧ホースリールの駆動部を制御するバルブステーションを設けることを特徴とする請求項８又は９記載のフィッシュポンプシステム。
【考案の詳細な説明】
【技術分野】
【０００１】
本考案は、遊泳状態の活魚を魚槽に移送するポンプに関する。特に、網から魚を魚槽に汲み上げるフィッシュポンプ、及びフィッシュポンプシステムに関する。
【背景技術】
【０００２】
フィッシュポンプシステムは、巻き網漁、定置網漁のように網を使って大量に魚を捕獲した際に、魚を水中の網の中から魚槽へ移送する際に使用されている。また、漁船から運搬船に、魚槽から魚槽への移送、さらには漁港での船から陸への陸揚げに使用されている。
【０００３】
フィッシュポンプは魚を水とともに吸い上げ、魚槽に移送する装置である。従来は手網ですくうなど人力に頼っていた作業をフィッシュポンプで行なうことによって、省力化、作業時間の短縮を行なうことが可能となった。また、魚をほとんど傷つけずに、魚槽に移送することができるため、捕獲した魚の市場価値も高く維持することができる。
【０００４】
現在、このフィッシュポンプを用いたシステムとして、一般的に使用されているのは、特許文献１に開示されているような一旦密閉タンク内に吸い上げ、次いで加圧ポンプにより吐出側逆止弁及び吐出管を介して吐出させる真空圧送方式と、特許文献２に開示されているような回転羽根により、水とともに移送するロータリー方式とに大別される。
【先行技術文献】
【特許文献】
【０００５】
【特許文献１】国際公開２００８／１５６３７０号
【特許文献２】特表２００１−５０１７０２号公報
【考案の概要】
【考案が解決しようとする課題】
【０００６】
真空圧送方式による移送装置は、真空で吸い上げるためにポンプ中を魚が通過することがないために魚が傷つく可能性は少ないが、大掛かりな装置が必要とされ、機構が複雑になることから、効率的な運転操作ができないことが多い。また、逆止弁に魚や木片などが挟まることがあり、しばしば作業を中断しなければならないという問題点があった。
【０００７】
一方ポンプによって水とともに移送するロータリー方式の移送装置は、比較的簡単な装置でよいことから比較的小型の漁船にも搭載することができる。また、運転操作も簡単であることから普及が進んできた。
【０００８】
しかしながら、ポンプ本体を船体に設置しているため、ポンプから魚を吸い込むフィッシュホース開口部までの距離が長くなると移送力が弱くなるという問題があった。特に大きな魚、大量の魚を吸い上げるためにフィッシュホース開口部を大きくした場合には高い吸引力が求められるため、結果的に大きな装置が必要とされていた。また、ポンプの吸引力を維持できない場合には移送に時間がかかるという問題が生じていた。移送に時間がかかると魚の鮮度の低下にもつながり市場価値も低下することから、小型でありながら魚を吸い上げる吸引力の強いフィッシュポンプが求められていた。
【０００９】
本考案は、フィッシュポンプによって魚を水とともに吸い上げ移送させるロータリー方式の利点はそのままに、魚を吸い上げる力が強く、また、魚が傷つく可能性の少ないフィッシュポンプ、及び該フィッシュポンプを用いた移送システムを提供することを課題とする。
【課題を解決するための手段】
【００１０】
本発明は、以下に示すフィッシュポンプ、及びフィッシュポンプシステムに関する。
（１）捕獲した魚を水とともに移送するためのフィッシュポンプであって、
該フィッシュポンプは、
魚と水を吸い入れるフィッシュポンプ開口部、
フィッシュホースに接続されるフィッシュホース側開口部を備えており、
水中に配置して使用されることを特徴とするフィッシュポンプ。
（２）前記フィッシュポンプは、クレーン又はフロートによって水中に配置されることを特徴とする（１）記載のフィッシュポンプ。
（３）前記フィッシュポンプは、油圧で駆動することを特徴とする（１）又は（２）のフィッシュポンプ。
（４）前記フィッシュポンプはブレードレスポンプ又は二枚羽根型ポンプであることを特徴とする（１）〜（３）いずれか記載のフィッシュポンプ。
（５）捕獲した魚を水とともに移送するためのフィッシュポンプシステムであって、
（１）〜（４）いずれか１項記載のフィッシュポンプを備えたことを特徴とするフィッシュポンプシステム。
（６）捕獲した魚を移送するフィッシュホースを備えることを特徴とする（５）記載のフィッシュポンプシステム。
（７）魚と水とを選別するセパレーターを備えることを特徴とする（５）又は（６）記載のフィッシュポンプシステム。
（８）フィッシュホースリール及び油圧ホースリールを備えることを特徴とする（５）〜（７）いずれか記載のフィッシュポンプシステム。
（９）前記油圧ホースリールには、油圧を伝達する油圧ホース接合部が設けられていることを特徴とする（８）記載のフィッシュポンプシステム。
（１０）油圧によってフィッシュポンプ、フィッシュポンプリール、油圧ホースリールの駆動部を制御するバルブステーションを設けることを特徴とする（８）又は（９）記載のフィッシュポンプシステム。
【考案の効果】
【００１１】
本考案のフィッシュポンプは、魚を水とともに吸い込み移送するフィッシュホースの開口部から魚槽までの距離が長い場合であっても、十分な移送力を備えている。したがって、魚を魚槽に取り込む時間が短くなり、魚の鮮度及び品質を向上させることができる。また、船上での重労働や危険作業が減るため、労務の安全性や効率が向上する。
【００１２】
本考案のフィッシュポンプは水中に配置するため、移送経路のうち魚を取り込むフィッシュホース開口部からポンプまでの吸引側の長さを短くすることができ、移送経路のほとんどの部分を圧送とすることができる。そのためポンプの能力が減衰することがなく、高い移送力を維持することができる。
【００１３】
また、フィッシュポンプを油圧駆動とすることにより出力の調整を容易に行なうことができるため、魚の移送力を調整することができる。また、作動油自体に防錆、潤滑効果があることから、海水中で作動させても機器内部の磨耗が少ない。
【図面の簡単な説明】
【００１４】
【図１】本考案のフィッシュポンプシステムの模式図。
【図２】フィッシュポンプ外観図（Ａ）及び断面図（Ｂ）。
【図３】セパレーターの側面図。
【図４】ホースリールの前面図（Ａ）及び側面図（Ｂ）。
【図５】フィッシュホース継手を示す図。
【考案を実施するための形態】
【００１５】
以下の例では、魚網から船上の魚槽に魚を移送するシステムを中心に説明するが、本考案は、漁船から運搬船への移送、さらには漁港での船から陸への陸揚げに使用することができることは言うまでもない。
【００１６】
本考案の実施の一形態を図を示しながら説明する。図１は、フィッシュポンプシステム１の概要を模式的に示している。フィッシュポンプシステム１は船上に設置され、巻き網、トロール網等によって捕獲された魚をフィッシュポンプ２で船上の魚槽へ移送する。
【００１７】
網３に捕獲された魚をフィッシュポンプ２によって船上の魚槽に移送する場合、最初にフィッシュポンプ２を水中の網３の中に投入する。図１では、フィッシュポンプ２は図示しないクレーンによって船４の上から水中の網３の中に吊り下げられている。フィッシュポンプ２によって吸い込まれた魚はフィッシュホース５を通って水とともに船上に移送され、セパレーター６により魚は魚槽（図示せず。）に移送され、水は船外へ排水される。
【００１８】
フィッシュポンプ２は油圧によって駆動される構成とする。油圧を用いることによって、比較的小型の装置であっても大きな力を発生させることができる。また、遠隔操作が可能となるため、フィッシュポンプ２を水中に配置した場合であっても簡単に操作を行うことができる。
【００１９】
フィッシュポンプ２は使用時に、フィッシュホース５及び油圧ホース７を、船上に配置されたフィッシュホースリール８、油圧ホースリール９から適宜伸ばして網の中に配置する。フィッシュホース５及び油圧ホース７は、フィッシュポンプ使用時以外はリールに巻き取って収納することができるため、他の作業時には邪魔にならず、作業時の安全を確保することができる。
【００２０】
フィッシュポンプ２は、船上に配置した油圧発生装置１０によって発生した油圧が油圧ホース７によって供給されることによって駆動する。油圧発生装置１０は、フィッシュポンプシステム専用の油圧装置を用いてもよいが、船舶に備えられている油圧発生装置をフィッシュポンプ作動時だけ転用することも可能である。油圧によって駆動力が供給されることから、フィッシュポンプ２には大きな力を供給することが可能であり、水とともに大きな魚を吸い込む場合であっても十分な力を発生させることができる。
【００２１】
油圧はバルブステーション１１によって、流量、圧力等を制御する。魚の種類、大きさ等によって、短い取り込み時間で魚を傷つけることなく魚槽へ移送できるように、ポンプの吸引力、移送力の制御を行う。
【００２２】
フィッシュポンプ２を水中に配置することによって、フィッシュホース５の開口部からポンプまでの距離を短くすることができる。ここでは、クレーンによって、フィッシュポンプを水中に吊り下げる実施形態を示しているが、フィッシュポンプ２を水中に投入することができれば、どのような構成を用いてもよい。例えば、フロートによって、水上に浮くようにしてもよい。また、クレーンを用いてフィッシュポンプ２を水中に吊り下げる場合には、フィッシュホース５に設けられた継手部１２をクレーンで吊り下げることにより、フィッシュホースがつぶれるのを防ぎ安定した移送力を保つことができる。
【００２３】
フィッシュポンプの構造を以下に説明する。図２（Ａ）にフィッシュポンプの外観を、（Ｂ）に断面図を示す。フィッシュポンプ２は、上部に結ばれたロープ１３によってクレーンでポンプ開口部１４が水中に沈むように吊り下げられている。
【００２４】
フィッシュポンプ２はポンプ内上部に設けられた回転羽根１５が油圧によって回転することによって水流が生じ魚を吸い込む吸引力が発生する。魚はフィッシュポンプ開口部１４から水ともに吸引される。フィッシュポンプ内ではフィッシュポンプ内を回転するように水流が生じることから、魚はフィッシュポンプ外縁の内壁に沿って移送される。そのため上部で回転する回転羽根１５に接触することがほとんどないため魚体が傷つくことがない。また、ここでは回転羽根によって水流を起こすポンプを開示しているが、ブレードレスポンプを用いて魚を吸引してもよい。
【００２５】
フィッシュホース側開口部１６はフィッシュフホースの先端の開口部と接続されており、魚はフィッシュポンプに吸い込まれた水とともにポンプ内を通って、フィッシュホース側開口部１６からフィッシュホースへ、さらに船上の魚槽へと移送される。魚はフィッシュホース側開口部１６から魚槽までの移送は水とともに圧送されることになる。水中にフィッシュポンプを配置することによって、ポンプとフィッシュポンプ開口部１４の位置は固定された短い距離となり、魚を吸引する力が弱くなることはない。
【００２６】
フィッシュポンプ２の回転羽根１５は油圧によって駆動されている。船上の油圧発生装置１０によって発生した油圧は油圧ホースによってフィッシュポンプ２に伝えられる。油圧は上部の油圧ホース接続部１７からフィッシュポンプ２に伝達され、回転羽根１５を駆動する。駆動力を油圧とすることにより、水中にフィッシュポンプ２を安全に配置することができる。また、油圧発生装置１０とフィッシュポンプ２の距離が離れていても生じた力を減衰させることなくフィッシュポンプ２に伝えることができる。
【００２７】
フィッシュポンプ開口部１４の外側には保護枠１８が設けられている。保護枠１８はフィッシュポンプ開口部１４の外側に設けられており、開口部より網が巻き込まれたり、木片等の異物が吸い込まれてフィッシュポンプ開口部１４からポンプ内に流入するのを防ぐ。
【００２８】
船上へ水とともに移送された魚は、セパレーター６によって、魚と水を分け、魚は魚槽へ水は船外へと排水される。図３にセパレーターの側面図を示す。
【００２９】
捕獲された魚は、フィッシュポンプ２によって水中から取り込まれ、フィッシュホース５を介してセパレーター６まで移送される。セパレーター流入口１９は、フィッシュホース５との接続部分であり、ここから魚は水とともにセパレーター上部開放部２０へ移送される。セパレーター上部開放部２０には窓状の開放部を設けてあり、魚の移送状況を監視することができる。
【００３０】
セパレーター内部には図中点線で示した梁２１が設けられており、網（図示せず。）を支持している。網によってセパレーター内部を移送されながら魚は水と分けられる。魚はセパレーター出口２２から魚槽へと移送され、水は排水口２３から船外へ排出される。図３において魚の移動経路を白抜きの矢印で示している。
【００３１】
魚を網から魚槽へ移送した後は、フィッシュポンプ２を船上へ収納する。フィッシュホース５、油圧ホース７は、フィッシュポンプ使用時以外は、夫々フィッシュホースリール８、油圧ホースリール９に巻き取って収納することによりコンパクトに収納することができる。
【００３２】
図４に油圧ホースリールの構造を示す。油圧発生装置１０で発生させた油圧は、バルブステーション１１を介して、油圧ホースリール９の油圧継手２４から油圧ホース接合部２５を通じ、フィッシュポンプ２へと伝えられ駆動力となる。フィッシュポンプを駆動し低圧となった作動油は、リターン側の油圧接合部２６から、油圧継手２７を介して油圧発生装置１０へと戻される。油圧が油圧ホースリール９の中心部分を通ってフィッシュポンプ２伝達される構成となっているため、作業時に油圧ホースを必要なだけ伸ばして使用することができる。したがって、作業時の安全性、効率性を高めることができる。
【００３３】
また、油圧ホース７の巻き取りに使用するホースリールを駆動するモーターの回転も、バルブステーション１１を介して油圧によって制御される。フィッシュホースリール８も、油圧ホースリール９と同様の構造であり、バルブステーション１１を介して油圧で巻き取りを制御できるように構成されている。フィッシュホースは継手部１２でフィッシュホースをポンプ側、セパレーター側に分けた後にフィッシュポンプリール８に収納することができる。
【００３４】
次にフィッシュホースの継手部１２について説明する。図５に示すようにフィッシュホース５はフィッシュホースの継手部１２によって継合されている。継手部１２は、ポンプ側とセパレーター側にフィッシュホースを分けることにより、収納時に容易にフィッシュホースリール８に巻き取ることができる。また、継手部１２は、船上でクレーンによってフィッシュホース５を吊り上げる際の部位として使用する。船上でクレーンによってフィッシュホースを吊り上げることによって、水中の網の中のフィッシュポンプ２の位置を調整することができる。
【００３５】
フィッシュホース継手部１２は金属製の継手管２８が継手部フランジ２９と溶接されている。溶接されているために、魚を移送する際に大きな力がかかっても継手管２８と継手部フランジ２９は外れることがない。フィッシュホース５の継手部側の接続部は、差込み型のホースフランジ３０がホースクリップ３１によって接続されている。フィッシュホース５と継手部１２は、継手部フランジ２９とホースフランジ３０のフランジ部分をクイッククリップ３２によって着脱可能に継合することができる。フィッシュホースは使用時には継手部１２を介して素早く継合することができ、また、収納時には取り外し可能であるため、コンパクトに収納することができる。
【符号の説明】
【００３６】
１・・・フィッシュポンプシステム、２・・・フィッシュポンプ、３・・・網、４・・・船、５・・・フィッシュホース、６・・セパレーター、７・・・油圧ホース、８・・・フィッシュホースリール、９・・・油圧ホースリール、１０・・・油圧発生装置、１１・・・バルブステーション、１２・・・継手部、１３・・・ロープ、１４・・・フィッシュポンプ開口部、１５・・・回転羽根、１６・・・フィッシュホース側開口部、１７・・・油圧ホース接続部、１８・・・保護枠、１９・・・セパレーター流入口、２０・・・セパレーター上部開放部、２１・・・梁、２２・・・セパレーター出口、２３・・・排水口、２４、２７・・・油圧継手、２５、２６・・・油圧ホース接合部、２８・・・継手管、２９・・・継手部フランジ、３０・・・ホースフランジ、３１・・・ホースクリップ、３２・・・クイッククリップ
【図１】
0003199040.tif 000003
【図２】
0003199040.tif 000004
【図３】
0003199040.tif 000005
【図４】
0003199040.tif 000006
【図５】
0003199040.tif 000007
【手続補正書】
【提出日】平成27年6月4日(2015.6.4)
【手続補正１】
【補正対象書類名】実用新案登録請求の範囲
【補正対象項目名】全文
【補正方法】変更
【補正の内容】
【実用新案登録請求の範囲】
【請求項１】
捕獲した魚を水とともに移送するためのフィッシュポンプであって、
該フィッシュポンプは、
魚と水を吸い入れるフィッシュポンプ開口部、
フィッシュホースに接続されるフィッシュホース側開口部を備えており、
水中に配置して使用されることを特徴とするフィッシュポンプ。
【請求項２】
前記フィッシュポンプは、クレーン又はフロートによって水中に配置されることを特徴とする請求項１記載のフィッシュポンプ。
【請求項３】
前記フィッシュポンプは、油圧で駆動することを特徴とする請求項１又は２記載のフィッシュポンプ。
【請求項４】
前記フィッシュポンプはブレードレスポンプ又は二枚羽根型ポンプであることを特徴とする請求項１〜３いずれか１項記載のフィッシュポンプ。
【請求項５】
捕獲した魚を水とともに移送するためのフィッシュポンプシステムであって、
請求項１〜４いずれか１項記載のフィッシュポンプを備えたことを特徴とするフィッシュポンプシステム。
【請求項６】
捕獲した魚を移送するフィッシュホースを備えることを特徴とする請求項５記載のフィッシュポンプシステム。
【請求項７】
前記フィッシュホースは、一端にフィッシュポンプが接続され、
他端に魚と水とを選別するセパレーターが接続されることを特徴とする請求項６記載のフィッシュポンプシステム。
【請求項８】
フィッシュホースを巻き取り収納するためのフィッシュホースリール及び油圧ホースを巻き取り収納するための油圧ホースリールを備えることを特徴とする請求項５〜７いずれか１項記載のフィッシュポンプシステム。
【請求項９】
前記油圧ホースリールには、油圧を伝達する油圧ホース接合部が設けられていることを特徴とする請求項８記載のフィッシュポンプシステム。
【請求項１０】
油圧によってフィッシュポンプ、フィッシュポンプリール、油圧ホースリールの駆動部を制御するバルブステーションを設けることを特徴とする請求項８又は９記載のフィッシュポンプシステム。